(57)【要約】【課題】遊技釘に対する不正行為を確実に防止することができると共に、遊技釘の調整作業を簡単に行うことができる弾球遊技機を提供する。【解決手段】開閉可能なガラス扉５で覆われた遊技盤３の遊技領域１１に一般入賞口１６等が設けられると共に、一般入賞口１６の入口を含む適宜位置に多数の遊技釘１８が植設されている弾球遊技機Ｐにおいて、遊技釘１８の軸線方向へ往復動可能な邪魔板１９と、この邪魔板１９を遊技盤３の前面に対して出入動作するモータ２１とを備え、ガラス扉５の閉鎖時に邪魔板１９を遊技盤３の前面から遊技釘１８の側方に沿って突出させると共に、ガラス扉５の開放時に邪魔板１９を遊技盤３の前面から没入させるように構成した。【選択図】図６
2010148599.tif 000002
【特許請求の範囲】
【請求項１】
遊技球が落下する遊技領域を有する遊技盤と、この遊技盤の前方に開閉自在に配設されたガラス扉と、前記遊技領域に設けられた入賞口と、前記遊技領域に植設された遊技釘とを備え、前記ガラス扉を透して前記遊技盤の前面が目視可能となっている弾球遊技機において、
前記遊技釘の軸線方向へ往復動可能な規制体と、この規制体を前記遊技盤の前面に対して出入動作する駆動手段とを備え、前記ガラス扉の閉鎖時に前記規制体を前記遊技盤の前面から前記遊技釘の側方に沿って突出させると共に、前記ガラス扉の開放時に前記規制体を前記遊技盤の前面から没入させるようにしたことを特徴とする弾球遊技機。
【請求項２】
請求項１の記載において、前記入賞口に対する遊技球の流下経路を規定するように一対の前記遊技釘が所定の対向間隔を存して植設されており、前記規制体がこれら両遊技釘の対向間隔の広がりを阻止する位置に配置されていることを特徴とする弾球遊技機。
【請求項３】
請求項２の記載において、一対の前記遊技釘のうち、前記ガラス扉の側縁部に近い方に植設された一方の遊技釘に対してのみ前記規制体が配置されていることを特徴とする弾球遊技機。
【発明の詳細な説明】
【技術分野】
【０００１】
本発明は、遊技盤の遊技領域に植設された遊技釘を有する弾球遊技機に関するものである。
【背景技術】
【０００２】
パチンコ機に代表される弾球遊技機は、透明なガラス板を有するガラス扉によって覆われた遊技盤を備えており、この遊技盤に形成された遊技領域に向けて発射装置から遊技球が打ち出されるようになっている。遊技領域には、賞球の払い出し等の特典を付与する入賞口（一般入賞口や始動入賞口）の他に、遊技球と衝突してその流下方向を変化させる遊技釘や風車等が設けられている。このうち、遊技釘は遊技領域の広範囲に亘って多数植設されており、これら遊技釘は遊技球の流下経路を規定する役割を担っている。特に、入賞口の上方に植設された遊技釘はその植設位置や角度に応じて入球の難易度を大きく左右するため、特典を不正に取得しようとする悪意者が、ガラス扉の周囲の隙間からピアノ線等を挿入して遊技釘に引っ掛け、該遊技釘を折り曲げて植設角度を強引に変更するといった不正行為を行うことがあり、遊技場において深刻な問題となっている。
【０００３】
そこで従来より、このような不正行為を防止するために、遊技釘の根元部分を囲むように屈曲センサを設け、この屈曲センサの出力に応じて遊技釘の異常を検知するようにした弾球遊技機が提案されている（例えば、特許文献１参照）。前記屈曲センサは自身に加わる応力に応じて抵抗値が変化する歪ゲージからなり、この歪ゲージは検知回路に接続されている。そして、不正行為によって遊技釘が折り曲げられて変形すると、検知回路は歪ゲージの抵抗値変化に応じて遊技釘の異常を検出し、スピーカやランプ等の異常報知手段を作動させて不正行為があったことを外部に報知するようになっている。
【特許文献１】特開２００７−２５２６８１号公報
【発明の開示】
【発明が解決しようとする課題】
【０００４】
しかしながら、特許文献１に開示された従来の弾球遊技機では、遊技球の繰り返しの衝突によって遊技釘が変形した場合も、不正行為が行われた時と同様に歪ゲージの抵抗値が変化してしまうため、検知回路が屈曲センサの出力を誤検出し易いという問題があった。また、屈曲センサが付設された遊技釘の植設角度を調整する際に、歪ゲージに不所望な応力が加わらないように細心の注意を払う必要があるため、遊技釘の調整作業が煩雑になるという問題もあった。
【０００５】
本発明は、このような従来技術の実情に鑑みてなされたもので、その目的は、遊技釘に対する不正行為を確実に防止することができると共に、遊技釘の調整作業を簡単に行うことができる弾球遊技機を提供することにある。
【課題を解決するための手段】
【０００６】
上記の目的を達成するために、本発明は、遊技球が落下する遊技領域を有する遊技盤と、この遊技盤の前方に開閉自在に配設されたガラス扉と、前記遊技領域に設けられた入賞口と、前記遊技領域に植設された遊技釘とを備え、前記ガラス扉を透して前記遊技盤の前面が目視可能となっている弾球遊技機において、前記遊技釘の軸線方向へ往復動可能な規制体と、この規制体を前記遊技盤の前面に対して出入動作する駆動手段とを備え、前記ガラス扉の閉鎖時に前記規制体を前記遊技盤の前面から前記遊技釘の側方に沿って突出させると共に、前記ガラス扉の開放時に前記規制体を前記遊技盤の前面から没入させるように構成した。
【０００７】
このように構成された弾球遊技機では、ガラス扉が閉じられている遊技中において、規制体が遊技盤の前面から遊技釘の側方に沿って突出しているため、ガラス扉の周囲の隙間からピアノ線等を挿入して遊技釘を折り曲げようとしても、該遊技釘の変形が規制体によって抑制され、遊技釘に対する不正行為を確実に防止することができる。また、ガラス扉が開放しているメンテナンス中において、規制体は遊技盤の前面から没入した状態となるため、規制体に邪魔されることなく遊技釘の植設角度を簡単に調整することができる。
【０００８】
上記の構成において、入賞口に対する遊技球の流下経路を規定するように一対の遊技釘が所定の対向間隔を存して植設されており、前記規制体がこれら両遊技釘の対向間隔の広がりを阻止する位置に配置されていることが好ましい。
【０００９】
この場合において、前記規制体は両遊技釘の外側にそれぞれ配置されていても良いが、一対の遊技釘のうち、ガラス扉の側縁部に近い方に植設された一方の遊技釘に対してのみ規制体が配置されていると、部品点数と配置スペースを削減できて好ましい。
【発明の効果】
【００１０】
本発明の弾球遊技機は、ガラス扉が閉じられている遊技中において、規制体が遊技盤の前面から遊技釘の側方に沿って突出しているため、ガラス扉の周囲の隙間からピアノ線等を挿入して遊技釘を折り曲げようとしても、該遊技釘の変形が規制体によって抑制され、遊技釘に対する不正行為を確実に防止することができる。また、ガラス扉が開放しているメンテナンス中において、規制体は遊技盤の前面から没入した状態となるため、規制体に邪魔されることなく遊技釘の植設角度を簡単に調整することができる。
【発明を実施するための最良の形態】
【００１１】
発明の実施の形態について図面を参照して説明すると、図１は本発明の実施形態例に係るパチンコ機の外観斜視図、図２は該パチンコ機のガラス扉と前面ボードを開けた状態の外観斜視図、図３は該パチンコ機に備えられる一般入賞口と遊技釘の位置関係を示す正面図、図４は図３のＡ−Ａ線に沿う断面図、図５は図４に示す邪魔板を駆動するための制御ブロック図、図６は該邪魔板の突出状態を示す断面図である。
【００１２】
図１に示すように、本実施形態例に係るパチンコ機Ｐは、遊技場の島設備に設置される縦長方形状の機枠１と、機枠１に扉状に開閉自在に取り付けられた前面枠２と、前面枠２の内側に収容された後述する遊技盤３と、前面枠２の前面に扉状に開閉自在に取り付けられ、中央に大きく開口部４が形成されたガラス扉５と、このガラス扉５の開口部４に取り付けられた透明なガラス板６と、前面枠２の下側に開閉自在に配設され、遊技球を収容する受皿７を有する前面ボード８と、前面ボード８に取り付けられた発射ハンドル９等を具備している。
【００１３】
図２に示すように、遊技盤３の盤面はガイドレール１０等で囲まれた遊技領域１１となっており、遊技中に遊技領域１１はガラス扉５のガラス板６を透して目視可能となっている。そして、遊技者によって発射ハンドル９が任意角度に回転操作されると、前面枠２の下部に設けられた発射装置１２が受皿７に貯留された遊技球を遊技領域１１に向けて連続的に打ち出すようになっている。遊技領域１１内の上部中央付近には可変表示装置１３が配設されており、この可変表示装置１３の真下位置には始動入賞口１４が設けられている。可変表示装置１３は、始動入賞口１４に遊技球が入賞することを契機に行われた電子抽選の結果を表示するためのものであり、より具体的には、抽選結果を特別図柄（数字や絵柄）を用いて可変表示させた後に停止表示させるといった態様で表示する装置である。
【００１４】
始動入賞口１４の真下位置にはアタッカー１５が設けられており、始動入賞口１４とアタッカー１５の周囲には複数（例えば４個）の一般入賞口１６が設けられている。アタッカー１５は、始動入賞口１４に遊技球が入賞することを契機に行われる電子抽選の結果、当たりとなって大当たり遊技状態に移行した場合に所定回数開放される装置である。このアタッカー１５が開放すると、内部の大入賞口（図示せず）が露呈し、そこに遊技球が入賞することで多くの賞球が獲得できるようになっている。また、一般入賞口１６に遊技球が入賞すると、所定個数の遊技球が賞球として遊技者に払い出される。そして、始動入賞口１４や一般入賞口１６に入らなかった遊技球は、遊技領域１１の最下端部に設けられたアウト口１７から回収される。なお、図２中には図示省略されているが、遊技領域１１内には遊技釘（後述する）と風車が設けられており、これら遊技釘や風車によって遊技球は不規則に変化しながら遊技領域１１内を落下していくこととなる。
【００１５】
前述した遊技釘は遊技盤３の遊技領域１１の広範囲に亘って植設されており、そのうち始動入賞口１４と一般入賞口１６の近傍に植設された遊技釘は、これら始動入賞口１４や一般入賞口１６に対する入球の難易度を大きく左右する役割を担っている。例えば遊技盤３を正面から見て最も左側に配置された一般入賞口１６の入口には、図３に示すように一対の遊技釘１８が所定の対向間隔Ｌを存して植設されており、この対向間隔Ｌによって該一般入賞口１６に対する遊技球の流下経路が規定されている。便宜上これら一対の遊技釘１８に符号１８Ａ，１８Ｂを付すと、図示左側に位置する遊技釘１８Ａの外側には規制体である邪魔板１９が配置されており、この邪魔板１９は遊技盤３に設けられたガイド孔２０内を往復動可能となっている。邪魔板１９は遊技釘１８Ａの軸形状に合わせて外側に膨らんだＲ形状となっており、図４に示すように、邪魔板１９の後端部にはラック１９ａが刻設されている。一方、遊技盤３の裏面には駆動手段であるモータ２１が取り付けられており、このモータ２１の回転軸に固着されたピニオン２２は邪魔板１９のラック１９ａに噛合している。
【００１６】
遊技盤３の裏面側には図示せぬ回路基板が配設されており、図５に示すように、この回路基板には扉検出スイッチ２４の検出信号に基づいてモータ２１の回転方向と回転量を制御する制御部２３が設けられている。扉検出スイッチ２４はガラス扉５の開閉操作に伴ってオン／オフの切替動作を行い、開放状態のガラス扉５が閉じられるとき、扉検出スイッチ２４から制御部２３に対して第１の切替信号Ｃ１が出力される。制御部２３は第１の切替信号Ｃ１を入力するとモータ２１に第１の制御信号Ｓ１を出力し、この第１の制御信号Ｓ１によってモータ２１は正逆いずれか一方向へ所定量だけ回転する。これにより、邪魔板１９がガイド孔２０内を遊技盤３の前方に向かって移動し、モータ２１の同方向への回転が停止すると、図６に示すように、邪魔板１９は遊技盤３の前面から遊技釘１８Ａの側方に沿って突出する。すなわち、ガラス扉５が閉じられている遊技中において、一般入賞口１６の入口に位置する一対の遊技釘１８Ａ，１８Ｂのうち、ガラス扉５の周囲から近い方の遊技釘１８Ａの側方に邪魔板１９が突出した状態となっている。したがって、賞球の払い出し等の特典を不正に取得しようとする悪意者が、前面枠２とガラス扉５間に存する左側の隙間からピアノ線等を挿入してこれを遊技釘１８Ａに引っ掛け、該遊技釘１８Ａを外側へ折り曲げて対向間隔Ｌを大きく広げようとしても、遊技釘１８Ａは図６の２点鎖線で示す微小角度までしか折り曲げられず、かかる不正行為は邪魔板１９が遊技釘１８Ａの変形を抑制することで確実に防止される。
【００１７】
その反対に閉鎖状態のガラス扉５が開放されるとき、扉検出スイッチ２４から制御部２３に対して第２の切替信号Ｃ２が出力される。制御部２３は第２の切替信号Ｃ２を入力するとモータ２１に第２の制御信号Ｓ２を出力し、この第２の制御信号Ｓ２によってモータ２１は上記と逆の他方向へ所定量だけ回転する。これにより、邪魔板１９がガイド孔２０内を遊技盤３の後方に向かって移動し、モータ２１の同方向への回転が停止すると、図４に示すように、邪魔板１９は遊技盤３の前面から没入してガイド孔２０の内部に収納される。すなわち、ガラス扉５が開放しているメンテナンス中において、邪魔板１９は遊技盤３の前面から没入した状態となっているため、遊技釘１８Ａを含めた全ての遊技釘１８の植設角度を簡単に調整することができる。
【００１８】
なお、遊技領域１１の最も右側に配置された一般入賞口１６の入口に位置する一対の遊技釘１８に対しても同様の構成が採用されている。ただし、右側の一般入賞口１６に対してはガラス扉５の右側の隙間からピアノ線等が挿入されるものと予測されるため、邪魔板１９は右側に位置する遊技釘１８の外側に配置されている。また、それ以外の一般入賞口１６や始動入賞口１４の入口に植設された遊技釘１８に対しても同様の構成を採用しても良いが、これら遊技釘１８はガラス扉５の周囲から比較的離れた位置に配置されており、ガラス扉５の周囲の隙間から挿入したピアノ線等を届かせることが困難であるため、これら遊技釘１８に対して本実施形態例では邪魔板１９を配置していない。
【００１９】
以上説明したように、本実施形態例に係るパチンコ機Ｐにおいては、ガラス扉５が閉じられている遊技中において、邪魔板１９が遊技盤３の前面から遊技釘１８（１８Ａ）の側方に沿って突出しているため、ガラス扉５の周囲の隙間からピアノ線等を挿入して遊技釘１８を折り曲げようとしても、該遊技釘１８の変形が規制体によって抑制され、遊技釘１８に対する不正行為を確実に防止することができる。また、ガラス扉５が開放しているメンテナンス中において、邪魔板１９は遊技盤３の前面から没入した状態となるため、邪魔板１９に煩わされることなく遊技釘１８の植設角度を簡単に調整することができる。
【００２０】
また、本実施形態例に係るパチンコ機Ｐでは、一般入賞口１６の入口に植設された一対の遊技釘１８Ａ，１８Ｂのうち、ガラス扉５の周囲から近い一方の遊技釘１８Ａの外側にだけ邪魔板１９を配置する構成としたので、部品点数と配置スペースを削減した上で遊技釘１８に対する不正行為を効果的に防止することができる。ただし、このような邪魔板１９を両方の遊技釘１８Ａ，１８Ｂの外側にそれぞれ配置することも可能であり、その場合、２つの邪魔板１９を遊技盤３の裏面側で連結し、これを１つのモータ２１で駆動することが好ましい。さらに、邪魔板１９が適用される対象は一般入賞口１６の入口に植設された遊技釘１８に限らず、一般入賞口１６や始動入賞口１４に対する入球の難易度を左右する可能性が高い他の遊技釘１８について同様の邪魔板１９を適用しても良い。
【００２１】
なお、上記実施形態例では、邪魔板１９の駆動手段としてモータ２１を用いた場合について説明したが、図７に示すように、モータの代わりにソレノイド２５を用いて邪魔板１９を駆動するようにしても良い。この場合、邪魔板１９を往復移動できるストローク量がモータ２１の場合に比べて少なくなり、同図の２点鎖線で示すように、邪魔板１９の遊技盤３からの突出量をそれ程大きくできないため、遊技盤３の機械的強度を補強した上で、邪魔板１９を対象となる遊技釘１８にできるだけ近接して配置する必要がある。
【図面の簡単な説明】
【００２２】
【図１】本発明の実施形態例に係るパチンコ機の外観斜視図である。
【図２】該パチンコ機のガラス扉と前面ボードを開けた状態の外観斜視図である。
【図３】該パチンコ機に備えられる一般入賞口と遊技釘の位置関係を示す正面図である。
【図４】図３のＡ−Ａ線に沿う断面図である。
【図５】図４に示す邪魔板を駆動するための制御ブロック図である。
【図６】該邪魔板の突出状態を示す断面図である。
【図７】該邪魔板の駆動手段の変形例を示す要部断面図である。
【符号の説明】
【００２３】
１  機枠
２  前面枠
３  遊技盤
５  ガラス扉
６  ガラス板
１１  遊技領域
１４  始動入賞口
１６  一般入賞口
１８，１８Ａ，１８Ｂ  遊技釘
１９  邪魔板（規制体）
１９ａ  ラック
２０  ガイド孔
２１  モータ（駆動手段）
２２  ピニオン
２３  制御部
２４  扉検出スイッチ
２５  ソレノイド（駆動手段）
Ｐ  パチンコ機
【図１】
2010148599.tif 000003
【図２】
2010148599.tif 000004
【図３】
2010148599.tif 000005
【図４】
2010148599.tif 000006
【図５】
2010148599.tif 000007
【図６】
2010148599.tif 000008
【図７】
2010148599.tif 000009